(57)【要約】      （修正有）【課題】密着層型の断熱複合パネルを、コンクリート躯体外面の不陸に関係なく面一に施工出来、且つ、断熱複合パネル内の空気層から笠木外方への上昇貫流通気を保証する。【解決手段】コンクリート躯体前面Ｓｃに、一次ファスナー７を固定し、通気用の条溝ａを備えたセメント板Ｐａと断熱層Ｐｂとの密着層型断熱複合パネルＰの端部条溝ａ上端を二次ファスナー１０の下方突出片１２ｂで係合し、二次ファスナー１０と一次ファスナー７に対応配置した左右方向長孔Ｈ１０と前後方向長孔Ｈ７とを介して、前後左右位置調整してボルト締着し、笠木３は、前部をパネルＰの上方に止着したブラケット１５を介して支持し、パネル断熱層Ｐｂとコンクリート躯体前面との界面隙間ａｓの空気流通を阻止すると共に、パネルＰ内の条溝ａから笠木３を介した外方への空気流通を保証する。【選択図】図１
2005061092.tif 000002
【特許請求の範囲】
【請求項１】
内面に条溝（ａ）を上下方向に並設したセメント板（Ｐａ）と断熱層（Ｐｂ）とを層着した密着層型の断熱複合パネル（Ｐ）と、一次ファスナー（７）と、二次ファスナー（１０）と、笠木（３）とを含み、一次ファスナー（７）は、コンクリート躯体（Ｃｗ）の前面（Ｓｃ）に固定し、二次ファスナー（１０）は、断熱複合パネル（Ｐ）上端面にセメント板の条溝（ａ）を介して係止すると共に、一次ファスナー（７）に前後左右調整して止着し、笠木（３）は、前部を該パネル（Ｐ）上端部に止着したブラケット（１５）を介して支持し、後部を後方に延出した底板（３Ｄ）を介してコンクリート躯体（Ｃｗ）上端部に止着し、該パネル断熱層（Ｐｂ）とコンクリート躯体前面（Ｓｃ）との界面隙間（ａｓ）の空気流通を阻止すると共に、該パネル（Ｐ）内の条溝（ａ）群から笠木（３）を介した外方への空気流通を保証した、通気性外断熱外壁の上部構造。
【請求項２】
一次ファスナー（７）は、長孔（Ｈ７）を有する水平片（７Ｆ）、及びボルト挿入用孔（Ｈ７０）を有する垂直片（７Ｗ）を備えたアングル鋼材であって、コンクリート躯体前面（Ｓｃ）に打込んだアンカーボルト（７ａ）に対し、垂直片（７Ｗ）に配置したアンカーボルト（７ａ）の径より大径のボルト挿入用孔（Ｈ７０）を介してアンカーボルト（７ａ）に位置調整の下でボルト締着した、請求項１の外壁の上部構造。
【請求項３】
一次ファスナー（７）の水平片（７Ｆ）が、長孔（Ｈ７）の下面に自在ナット金具（８）を備え、自在ナット金具（８）にはナット（８Ａ）を固定した座金（８Ｂ）を摺動自在に保持した、請求項２の外壁の上部構造。
【請求項４】
二次ファスナー（１０）は、長孔（Ｈ１０）を有する水平片（１０Ｆ）の前端下面に断面台形の突出片（１２ｂ）を下方に突出し、断熱複合パネル（Ｐ）の断面台形の条溝（ａ１）に、二次ファスナー（１０）の突出片（１２ｂ）を係止した、請求項１乃至３のいずれか１項の外壁の上部構造。
【請求項５】
一次ファスナー（７）が、水平片（７Ｆ）に前後方向の長孔（Ｈ７）を備え、二次ファスナー（１０）が、水平片（１０Ｆ）に左右方向の長孔（Ｈ１０）を備え、前後方向長孔（Ｈ７）と左右方向長孔（Ｈ１０）を介して二次ファスナー（１０）を一次ファスナー（７）上に位置調整してボルト締着した、請求項１乃至４のいずれか１項の外壁の上部構造。
【請求項６】
断熱複合パネル（Ｐ）は、セメント板（Ｐａ）が少なくとも両端に断面台形の条溝（ａ１）を含む上下方向条溝（ａ１，ａ２）群を備え、断熱層（Ｐｂ）が各条溝（ａ１，ａ２）面上に成形発泡断熱材を積層一体化した、請求項１乃至５のいずれか１項の外壁の上部構造。
【請求項７】
ブラケット（１５）が、笠木（３）係止用の水平片（１５Ｕ）と、垂直片（１５Ｆ）と、底板（１５Ｄ）とを備えた、請求項１乃至６のいずれか１項の外壁の上部構造。
【請求項８】
２つの長孔（Ｈ７）を左右に設けた一次ファスナー（７）を断熱複合パネル（Ｐ）の左右接続部（ｄ３）上に配置し、一つの突出片（１２ｂ）及び長孔（Ｈ１０）を備えた二次ファスナー（１０）の２個を１個の一次ファスナー（７）上の左右に配置した、請求項１乃至７のいずれか１項の外壁の上部構造。
【請求項９】
ブラケット（１５）の底板（１５Ｄ）を２個の二次ファスナー（１０）間に止着した、請求項８の外壁の上部構造。
【請求項１０】
笠木（３）は、立下り板（３Ｆ）と、立下り板上端から後方に連なる天端水平板（３Ｕ）と、天端水平板（３Ｕ）後部から立上り片（３Ｂ）を介して後方に延出する底板（３Ｄ）とを備え、天端水平板（３Ｕ）下面と立下り板（３Ｆ）上部突起（３Ｍ）で形成した係合溝（３Ｇ）に、ブラケット先端を嵌入係止した、請求項１乃至９のいずれか１項の外壁の上部構造。
【請求項１１】
断熱複合パネル（Ｐ）の断熱層（Ｐｂ）には、上端及び内表面上部の全幅に亘る切欠（Ｃ１）を一次ファスナー（７）の板厚に対応して配置し、且つ、該パネル（Ｐ）両端部には、該切欠（Ｃ１）上に、更に二次ファスナー止着用の切欠（Ｃ２）を配置した、請求項１乃至１０のいずれか１項の外壁の上部構造。
【発明の詳細な説明】
【技術分野】
【０００１】
本発明は、外壁下端の腰水切から外壁上端の笠木まで、外気が外壁断熱複合パネル内の貫通可能な外断熱建築物の外壁の上部構造に関するものであり、より詳しくは、成形セメント外装板に断熱層を一体化層着した密着層型の断熱複合パネルを笠木と共に、コンクリート躯体に取付ける外断熱工法に関するものであり、建築の技術分野に属するものである。
【背景技術】
【０００２】
密着層型の断熱複合パネルをコンクリート躯体に張着して外断熱建築物とする技術は、図１０に示す従来例１、及び図１１に示す従来例２がある。
従来例１は、非特許文献１及び非特許文献２に開示されたものであり、図１０に示す如く、内面に条溝を備え、適所にあと施工アンカー用の孔を配設したセメント板に断熱層を一体化層着した密着層型の外断熱複合パネルの断熱層を、接着剤でコンクリート躯体に接着し、アンカーをセメント板からコンクリート躯体に打ち付けて張着する。
【０００３】
そして、コンクリート躯体に打込んだ、あと施工アンカーボルトに締着した重量受けアングルで断熱複合パネルの外壁下端を支承すると共に、外壁上部では、コンクリート躯体（パラペット）上端面に笠木取付下地をあと施工アンカーで固定し、笠木を取付下地に係止してパネル上端前面と笠木間、及びコンクリート躯体上面と笠木後端との間をシーリングするものであり、コンクリート建築物を外断熱に改修する技術である。
【０００４】
また、従来例２は、非特許文献３に開示されたものであり、図１１に示す如く、ＧＦＰＣ系外装材（厚さ１３mmの両面ガラス繊維混入火山礫サンドアッシュフェノール樹脂板）と、断熱材とを接着一体化した密着層型の断熱複合パネル（岩倉化学工業（株）の商品名：オーマルＹＢ−Ｒ）を外装材とし、外装材には、あと施工アンカー用の孔を適所に配設すると共に、断熱層表面にはだんご状の接着剤を適宜間隔に配設し、だんご状接着剤でパネルの断熱層をコンクリート躯体表面に貼着し、あと施工アンカーを外装材表面からコンクリート躯体へ打ち込んで張着するものである。
【０００５】
そして、複合パネルの外壁下端は、図１１（Ｄ）に示す如く、コンクリート躯体に取付けたアングル鋼の水切取付下地材を介してアルミ水切を取付け、断熱複合パネル下端と水切との隙間にシーリングを施し、断熱複合パネルの外壁上端は、外装材を貼着して断熱層を保護し、その上に防水層を付設し、防水層上にアングル笠木を止着するものであり、コンクリート建築物を外断熱に改修するものである。
【０００６】
【非特許文献１】株式会社、建築技術発行、「建築技術」２００１年２月号第１２３頁、アキレスＫＤパネルの項
【非特許文献２】三菱マテリアル建材（株）のカタログ「メースガイドブックｖｏｌ．５」の１６４頁
【非特許文献３】岩倉化学工業（株）のパンフレット「オーマルＹＢ−Ｒ」の後貼施工要領書
【発明の開示】
【発明が解決しようとする課題】
【０００７】
既存建物の改修に於いて、従来例１や従来例２の乾式被覆改修外断熱構工法は、既存建物の外壁に取付金物によってパネルを乾式に取付けるもので、既存外壁の仕上材に剥離や剥落の恐れのあるコンクリート建築物や、汚れやデザインの陳腐化したコンクリート建築物の改修に多用されており、新築の外断熱コンクリート建築物と同様に、結露が防止出来て健康的な建物に改修出来、省エネルギー、且つ耐久性のあるコンクリート建物に改修出来る。
【０００８】
しかし、日本建築学会編、「建築工事標準仕様書、同解説（ＪＡＳＳ５）鉄筋コンクリート工事」１９９７年版では、外壁面の不陸は、タイルの圧着張りでは、３ｍにつき１０mm以下、モルタル塗では１ｍにつき１０mm以下、打放しコンクリートでは、３ｍにつき７mm以下となっているが、建築後１５〜２０年経過したコンクリート建築物にあっては、建築時の型枠精度等の問題から１ｍにつき１０mm位の不陸の存在は普通である。
【０００９】
従来例１（図１０）の乾式被覆改修構工法にあっては、既存建物の外壁のコンクリート躯体表面に断熱複合パネルを面接着するため、コンクリート躯体外面に不陸（面の不平坦）があれば、断熱複合パネルの前後方向調整が不可能であるため、断熱複合パネルの外壁面もコンクリート躯体の不陸に追従して不陸となる。
従って、外壁面をなるべく面一にするために、断熱複合パネルの張着に先立ってコンクリート躯体外面の突出面を斫る面一化作業が必要であり、斫り作業は作業性が悪く、しかも、コンクリート躯体表面の面一化は困難である。
【００１０】
また、該断熱複合パネルは、当初、該セメント板がコンクリート一体化用型枠として開発され、一体化コンクリートとの付着性向上のために条溝を付設したものであったが、コンクリート建築物に対する外断熱施工への関心の高まりと共に、該セメント板に断熱材を層着一体化して断熱複合パネル（商品名：アキレスＫＤパネル）とされたものであり、該条溝は、該パネルにあってはセメント板の軽量化の意義しかないものである。
【００１１】
そして、従来例１の断熱複合パネルによる外壁は、重量受けアングルがパネル下端面を面当接で支承していること、及び笠木とパネル上端前面との間、笠木とパラペットとの間にシーリングを施していることからも明らかな如く、密着層型のパネル内に通気性が存在しない。
従って、該パネルの外壁は、セメント板が日射による高温化に伴うヒートストレスにより劣下し、且つ、断熱層とセメント板間には、密着層型外断熱複合パネル特有の界面結露の問題を有する。
【００１２】
また、従来例２（図１１）の乾式被覆改修構工法にあっても、断熱複合パネルのコンクリート躯体表面への張着は、接着剤のだんごを点在配置してパネルを押圧接着するため、だんご状接着剤の押圧変形がコンクリート躯体表面の不陸に若干対応出来るものの、不陸調整寸法が小であるため、やはり、パネルの張着に先立って、コンクリート躯体表面の突出面を斫る作業も必要であり、斫り作業を伴う断熱複合パネルの張着の作業性が悪く、しかも外壁面の面一化張着は困難である。
そして、該断熱複合パネルは、ＧＦＰＣ系外装材と断熱層との密着層型パネルであるが、該パネル自体は通気層が存在せず、断熱層と外装材間には、密着層型の外断熱複合パネル特有の界面結露を生ずるものである。
【００１３】
本発明は、密着層型の断熱複合パネルでありながら、パネル内通気が可能な外壁となり、しかも、断熱複合パネルのコンクリート躯体表面への張着は、コンクリート躯体表面の不陸に関係なく外壁表面を面一に、且つ、作業性良く施工出来る新規な外壁の上部構造を提供し、しかも、密着層型断熱複合パネルでありながら、外壁下端の腰水切から上下連設パネル内を貫通して上端の笠木への通気も可能となる外壁の上部構造を提供するものであり、上述の如き、従来例１、従来例２の問題点を一挙に解決するものである。
【課題を解決するための手段】
【００１４】
本発明は、例えば図１（Ａ），（Ｂ）に示す如く、内面に条溝ａを上下方向に並設したセメント板Ｐａと断熱層Ｐｂとを層着した密着層型の断熱複合パネルＰと、一次ファスナー７と、二次ファスナー１０と、笠木３とを含み、一次ファスナー７は、コンクリート躯体Ｃｗの前面Ｓｃに固定し、二次ファスナー１０は、断熱複合パネルＰ上端面のセメント板Ｐａの条溝ａ内への二次ファスナー側の突出片１２ｂの係合により係止すると共に、一次ファスナー７に前後左右調整して止着し、笠木３は、前部を該パネルＰ上端部に止着したブラケット１５を介して支持し、後部を後方に延出した底板３Ｄを介してコンクリート躯体上端面Ｆｃに止着し、該パネル断熱層Ｐｂとコンクリート躯体前面Ｓｃとの界面隙間ａｓの空気流通を阻止すると共に、該パネル内の条溝ａ群から笠木３を介した外方への空気流通を保証したものである。
【００１５】
尚、コンクリート躯体Ｃｗはパラペットを含むものである。
また、本発明にあっては、コンクリート躯体Ｃｗ前面Ｓｃに強固に固定した一次ファスナー７に対し、断熱複合パネルＰを外壁前面が面一となるように二次ファスナー１０を介して位置調整して一次ファスナー７に止着するため、コンクリート躯体前面Ｓｃの最大突出部とパネルＰの断熱層Ｐｂとは、図２（Ａ），（Ｂ）の如く当接形態となるが、コンクリート躯体前面Ｓｃの不陸に対応した界面隙間ａｓが大なり小なり各パネルＰの内面（断熱層）とコンクリート躯体表面Ｓｃ間に生ずる。
【００１６】
しかし、界面隙間ａｓに対しては、図９（Ａ）の如く、パネル下端面への現場発泡断熱材９の注入によっても、図１（Ａ），（Ｂ）の如く、パネル上端面へのアスファルトのルーフコーティング９ｃによっても空気流通阻止が達成され、界面隙間ａｓの空気流通阻止は、パネルＰの上端又は下端の界面隙間ａｓを閉止するだけで良い。
また、二次ファスナー１０の一次ファスナー７への前後左右調整の下での止着は、二次ファスナー１０を一次ファスナー７に摺動形態で載置すれば前後左右調整が容易であり、両ファスナー１０，７の止着は、慣用のボルト締着、ねじ止着、溶接等の採用が可能である。
【００１７】
また、二次ファスナー１０のパネルＰ上端の条溝ａへの係止は、図１（Ａ）の如く、条溝ａ内へ嵌入した突出片１２ｂをセメント板Ｐａ外面からねじ２６で止着しても良く、或いは条溝ａと嵌入突出片１２ｂとの対応断面形状の設定によってパネルＰを二次ファスナー１０に確保しても良い。
勿論、係止状態でパネルＰと二次ファスナー１０とにガタツキが生じる場合は、セメント板Ｐａと二次ファスナー突出片１２ｂとをねじ締着すれば良い。
【００１８】
また、ブラケット１５は、笠木３の前部を、笠木とパネルセメント板上端との間に空気流通スペースを介して支持出来れば良く、ブラケット１５のパネルＰの上端部への止着は、セメント板Ｐａ上端面や、パネル上端に一体化固定した一次ファスナー７上面、二次ファスナー１０上面等、に止着可能である。
また、笠木３は、前部がブラケット１５で、後部が延出底板３Ｄのコンクリート躯体上面へのねじ２６ｂ止着で、前部と後部との２点支持で配置出来れば良く、アングル笠木形態でも十分な強度が付与出来、寸法、形状は、安価なアングル笠木形態で自在に設定すれば良い。
【００１９】
また、本発明にあっては、一次ファスナー７は、図４（Ａ）に示す如く、長孔Ｈ７を有する水平片７Ｆ、及びボルト挿入用孔Ｈ７０を有する垂直片７Ｗを備えたアングル鋼材であって、図１（Ａ）の如く、コンクリート躯体前面Ｓｃに打込んだアンカーボルト７ａに対し、垂直片７Ｗに配置したアンカーボルト７ａの径より大径のボルト挿入用孔Ｈ７０を介してアンカーボルト７ａに位置調整の下でボルト締着するのが好ましい。
この場合、アンカーボルト７ａをコンクリート躯体構築時に、コンクリート躯体に埋設しても良く、既存建物のコンクリート躯体へボルト孔を穿設して、あと施工アンカーボルト７ａを打込んでも良く、本発明は、コンクリート建築物の新築にも、既存コンクリート建築物の外断熱改修にも有効に適用出来る。
【００２０】
また、乾式被覆外断熱構工法でのアンカーボルト７ａは、典型的には径１０mmのあと施工アンカーボルトであり、オールアンカー（サンコーテクノ（株）商品名）か、ネールアンカー（岡部建材（株）商品名）であって、アンカーボルト７ａ１本当り８９０kgfの引張荷重強度を発揮するものである。
また、垂直片７Ｗのボルト挿入用孔Ｈ７０は径が２０mm位であれば、アンカーボルト７ａに対する一次ファスナー７の上下左右方向の位置調整機能が発揮出来る。
この場合、パネルＰ１枚当りの荷重は４０kg弱であるので、アンカーボルト７ａに対する垂直片７Ｗのボルト締着により、二次ファスナー１０の十分な支持強度を発揮する。
また、水平片７Ｆの長孔Ｈ７は、一次ファスナー７上での二次ファスナー１０のボルト止着の位置調整に有効である。
【００２１】
また、本発明にあっては、一次ファスナー７の水平片７Ｆが、図５の如く、長孔Ｈ７の下面に自在ナット金具８を備え、自在ナット金具８にはナット８Ａを固定した座金８Ｂを摺動自在に保持させるのが好ましい。
この場合、摺動自在のナット８Ａは、図５（Ａ）の如く、座金８Ｂがナット８Ａの共回りを抑制して一次ファスナー７の位置調整の下でのボルト締着を可能とし、ナット８Ａが自在ナット金具８内に保持されているため、断熱層Ｐｂ上面に、図３（Ａ）の切欠Ｃ２の如き自在ナット金具８のみの凹欠を施せば、少ない断熱層欠損で、且つ、きれいに一次ファスナー７のパネルＰ上端への取付けが出来る。
【００２２】
また、本発明にあっては、二次ファスナー１０は、図４（Ｂ）の如く、長孔Ｈ１０を有する水平片１０Ｆの前端下面に断面台形の突出片１２ｂを下方に突出し、断熱複合パネルＰの断面台形の条溝ａ１に、二次ファスナー１０の突出片１２ｂを係止するのが好ましい。
この場合、二次ファスナーの突出片１２ｂはセメント板条溝ａ１と対応係合し、且つ両者間にガタツキの生じない嵌合とすれば、二次ファスナー１０によるパネル上端の係止が合理的に実施出来る。
この場合、条溝ａ１には、突出片１２ｂの嵌入部下方で隣接条溝ａとの境界のリブＲに空気連通用の横断溝を配置すれば、係合用条溝ａ１内の空気流通Ａｆが保証出来る。
そして、二次ファスナー１０の長孔Ｈ１０を一次ファスナー７の長孔Ｈ７と交差形態で設ければ、両ファスナー相互の位置調整の下でのボルト締着が合理的に実施出来る。
【００２３】
また、本発明にあっては、一次ファスナー７が、図４（Ａ）の如く、水平片７Ｆに前後方向の長孔Ｈ７を備え、二次ファスナー１０が、水平片１０Ｆに左右方向の長孔Ｈ１０を備え、前後方向長孔Ｈ７と左右方向長孔Ｈ１０を介して二次ファスナー１０を一次ファスナー７上に位置調整してボルト締着するのが好ましい。
断熱複合パネルＰの外面を面一とする張設は、コンクリート躯体表面Ｓｃの不陸突出の最も大な部分でパネル断熱層Ｐｂ表面とコンクリート躯体表面Ｓｃとを当接形態とするのが両表面間での界面隙間ａｓの発生を最少に抑えるために必要である。
【００２４】
また、各一次ファスナー７のそれぞれは、必ず垂直片７Ｗをコンクリート躯体表面Ｓｃに当接固定するのが強度保持上必要であり、コンクリート躯体表面Ｓｃの不陸対応により、各二次ファスナー１０それぞれは、パネルＰの面一化基準に沿って異なる前後位置調整量が必要となる。
そして、二次ファスナー１０は突出片１２ｂを備えておるため、十分な長さの前後長孔の配置は困難であるが、一次ファスナー７への前後長孔の配置は、かなり大寸の長孔まで配置可能となり、各二次ファスナー１０のそれぞれの前後動調整の計測配置を容易にする。
そして、パネルＰの面一配置は、前後位置調整の後に、必要量の左右位置調整をするのが好ましい。
従って、一次ファスナー７の強固な固着、及びパネルＰの必要前後動調整の下での面一配置が合理的に実施出来る。
【００２５】
また、本発明にあっては、断熱複合パネルＰは、セメント板Ｐａが少なくとも両端に断面台形の条溝ａ１を含む上下方向条溝ａ１，ａ２群を備え、断熱層Ｐｂが各条溝ａ１，ａ２面上に成形発泡断熱材を積層一体化したものが好ましい。
断面台形の条溝ａ１は、二次ファスナー１０の有する断面台形の突出片１２ｂを嵌入するだけで二次ファスナー１０によるパネルＰの係止が達成出来る。
そして、二次ファスナー１０によるパネルＰの係止保持がパネルの左右両端となるため、各パネルＰの面一化調整も容易となる。
【００２６】
また、本発明にあっては、ブラケット１５が、笠木３係止用の水平片１５Ｕと、垂直片１５Ｆと、底板１５Ｄとを備えているのが好ましい。
この場合、ブラケット１５は、図６（Ｃ）に示す如き形態となるため、垂直片１５Ｆは、笠木３に対する空気流通Ａｆの通気スペース確保が出来、底板１５Ｄを二次ファスナー水平片１０Ｆ上か、一次ファスナー水平片７Ｆかにねじ止着することによりブラケット１５の固定が容易であり、笠木３の前部を、水平片１５Ｕによって条溝ａ群からの空気流通可能に確保出来る。
そして、ブラケット１５を二次ファスナー水平片１０Ｆ上の定点位置に止着すれば、笠木３のコンクリート躯体前面Ｓｃに対する不陸対応となる。
【００２７】
また、本発明にあっては、２つの長孔Ｈ７を左右に設けた一次ファスナー７を断熱複合パネルＰの左右接続部ｄ３上に配置し、一つの突出片１２ｂ及び長孔Ｈ１０を備えた二次ファスナー１０の２個を１個の一次ファスナー７上の左右に配置するのが好ましい。
この場合、１個の二次ファスナー１０が１枚のパネルＰの一端部毎の対応となるため、一次ファスナー７上への位置決めの自由度が増し、パネルＰの面一化調整及びパネルＰの一次ファスナー７上への載置係合作業が容易となる。
【００２８】
また、本発明にあっては、ブラケット１５の底板１５Ｄを２個の二次ファスナー１０間に止するのが好ましい。
この場合、図７（Ｂ）に示す如く、２個の二次ファスナー１０は一次ファスナー７上に分離形態で載置止着することとなり、各パネルＰの左右接続部ｄ３のそれぞれ両側パネル端に係止する二次ファスナー１０間へのブラケット１５の配置が可能となって、各ブラケット１５は等間隔配置により笠木３の均斉確保が可能となり、パネル端部毎での前後左右位置調整の不要な一次ファスナー７上への止着作業となって取付けが容易である。
【００２９】
また、本発明にあっては、笠木３は、図６に示す如く、立下り板３Ｆと、立下り板上端から後方に連なる天端水平板３Ｕと、天端水平板３Ｕ後部から立上り片３Ｂを介して後方に延出する底板３Ｄとを備え、図１（Ａ）の如く、天端水平板３Ｕ下面と立下り板３Ｆ上部突起３Ｍで形成した係合溝３Ｇに、ブラケット先端を嵌入係止するのが好ましい。
【００３０】
この形態の笠木３にあっては、底板３Ｄによるコンクリート躯体Ｃｗ上面への固定と、天板３Ｕ先端のブラケット１５による係止との前後２点保持となり、パラペットにも屋上にも適用可能な安価なアングル笠木形態でありながら、パラペットにしか適用出来ない高価なオープン笠木と同様の前後２点支持が達成出来、空気流通Ａｆのためのスペースを備えたために、あおり風を受けてガタツキ易い笠木３が強固に保持出来る。
また、取付けに際しても、パネルＰの上端部に止着したブラケット１５に前部を係止した後の後部の固定となるため、笠木３の適正位置への止着が容易となる。
【００３１】
また、本発明にあっては、断熱複合パネルＰの断熱層Ｐｂには、図３（Ａ）に示す如く、上端及び内表面上部の全幅に亘る切欠Ｃ１を一次ファスナー７の板厚に対応して配置し、且つ、該パネルＰ両端部には、該切欠Ｃ１上に、更に自在ナット金具８等、二次ファスナー１０止着対応の切欠Ｃ２を配置するのが好ましい。
該切欠Ｃ１，Ｃ２の付与は、工場等、別の場所での作業となって均質付与が容易であると共に、図１（Ｂ）及び図２（Ｂ）に示す如く、外壁上部施工時の断熱層Ｐｂの切欠Ｃ１に対する石綿セメント板等の板材１８での後処理作業が均斉、且つ容易に実施出来る。
また、深い部分切欠Ｃ２の存在により、二次ファスナー１０締着ボルトの突出部の受け入れも可能となり、図１（Ａ）の如く、下面に突出する自在ナット金具８を供えた一次ファスナー７の断熱複合パネルＰへの配置もスムーズに実施出来、作業性が向上する。
【発明の効果】
【００３２】
本発明の通気性外断熱外壁の上部構造は、図１（Ａ）及び図２（Ａ）に示す如く、コンクリート躯体Ｃｗの表面Ｓｃに一次ファスナー７を強固に当接固定し、一次ファスナー７に対してパネル上端に係止した二次ファスナー１０を前後左右位置調整して固定するため、コンクリート躯体表面Ｓｃの不陸に関係なく、各断熱複合パネルＰ群を面一に張設出来る。
しかも、各パネルＰを面一に張設したために生ずるパネル断熱層Ｐｂとコンクリート躯体表面Ｓｃとの間に生ずる界面隙間ａｓの空気流通を阻止したため、該隙間ａｓ内の空気層は流通しない密閉空気層となって空気断熱層の機能を奏し、パネル断熱層Ｐｂと共にコンクリート躯体Ｃｗに対する外断熱機能を奏する。
【００３３】
更に、断熱複合パネルＰは、密着層型でありながら条溝ａ群から笠木３を介した外方への空気流通Ａｆを保証したため、セメント板Ｐａと断熱層Ｐｂとの界面が下方から上方への通気層となり、従来の密着層型パネル特有のセメント板等の外装材と断熱層との界面での結露を生ずる問題が解決出来る。
従って、断熱層Ｐｂの吸湿による断熱機能低下が阻止出来ると共に、条溝ａでの通気によるセメント板Ｐａの日射による高温化も抑制出来、セメント板Ｐａの耐用時のヒートストレスによる劣下も抑制出来、長期に亘る均質な外断熱機能、及び耐久性を備えた外壁の提供を可能にする。
【００３４】
更に、コンクリート躯体前面Ｓｃに当接固定した一次ファスナー７に対して、前後左右調整して止着する二次ファスナー１０の突出片１２ｂでのセメント板Ｐａの条溝ａへの係合によって断熱複合パネルＰを張設するため、パネルＰの張設作業が容易であり、パネルＰ群の面一化配置作業が容易である。
更に、笠木３も、前部をパネル上端部に止着したブラケット１５を介して支持し、後部を後方に延出した底板３Ｄを介してコンクリート躯体Ｃｗの上端面Ｆｃに止着するため、パネル上端面に対して排気用の間隔を有し、あおり風を受ける笠木が、前後２点支持となって強固に保持出来、安価（オープン笠木の１／３）なアングル笠木形態の採用が可能となる。
【００３５】
また、一次ファスナー７は、アングル形態の鋼材の垂直片７Ｗの大径のボルト挿入用孔Ｈ７０を、コンクリート躯体Ｃｗに打込んだ小径のアンカーボルトに嵌合して強固に固定するため、一次ファスナー７のコンクリート躯体Ｃｗの表面Ｓｃに対する上下左右の位置調整の下での固着が出来、パネルＰの張設は、コンクリート躯体Ｃｗの前後方向不陸のみならず、上下方向不陸にも対処可能となり、コンクリート躯体Ｃｗの、不陸の特に多い既存コンクリート建築物の外断熱への改修施工に、特に有効である。
【００３６】
また、一次ファスナー７は、水平片７Ｆ下面にナット８Ａを固定した座金８Ｂを摺動自在に保持した自在ナット金具８を有するため、一次ファスナー７上での二次ファスナー１０の位置調整摺動が、仮止め状態でのボルト１３ａの自在ナット金具８内での座金８Ｂの摺動となり、微調整摺動がスムーズに実施出来る。
また、二次ファスナー１０は、下方突出の断面台形突出片１２ｂを、パネルセメント板Ｐａの断面台形の条溝ａ１内に嵌入係止するため、二次ファスナー１０による断熱複合パネルＰ上端の係止保持作業が容易となる。
【００３７】
また、二次ファスナー１０の一次ファスナー７上での前後左右位置調整は、一次ファスナー７の前後方向長孔Ｈ７と、二次ファスナー１０の左右方向長孔Ｈ１０とに、ボルト１３ａを挿通して自在ナット金具８内のナット８Ａに仮止めして実施するため、パネル断熱層Ｐｂに支障を生ずることなくスムーズに実施出来、自在ナット金具８を収納する断熱層Ｐｂ上の切欠Ｃ２も、断熱層Ｐｂの内表面からの自在ナット金具８の幅に対応する細幅の切欠と出来、切欠Ｃ２の形成が断熱層Ｐｂの欠損の最少限の下に容易に出来る。
【００３８】
また、１個の一次ファスナー７に対して２個の二次ファスナー１０を分割形態で配置するため、各パネルＰのそれぞれが端部で位置調整可能となり、各パネルＰ群の位置微調整の下での取付作業が容易となって、パネルの適正配置に有利である。
しかも、笠木３係止用のブラケット１５も二次ファスナー１０間で一次ファスナーに取付可能となり、ブラケット１５の取付合理化と、ブラケット１５の等間隔配置による笠木３の均斉な保持が可能となる。
【発明を実施するための最良の形態】
【００３９】
〔断熱複合パネル（図３）〕
図３（Ａ）は、パネルＰの一部切欠斜視図であり、図３（Ｂ）は、（Ａ）のＢ−Ｂ線断面図であり、（Ｃ）は（Ｂ）の部分拡大図である。
断熱複合パネルＰは、セメント、硅酸質原料及び繊維質原料を混合して押出成形し、オートクレーブ養生した押出成形セメント板Ｐａと、７５mm厚の押出法ポリスチレンフォーム断熱材Ｐｂとの接着一体化積層物である。
【００４０】
セメント板Ｐａは、図３（Ｂ）の如く、厚さＴ１が２５mm、幅Ｗ０が４９０mmで内面に深さ１３mmの条溝ａ群をリブＲ（Ｒ１，Ｒ２）間で上下方向に並設したものであり、条溝ａ群のうち、両端及び中央の一対の条溝ａ１は、一方が６０°、他方が８０°に傾斜した台形断面であり、他の条溝ａ２は短形断面である。
そして、台形条溝ａ１と隣接条溝ａ２との境界のリブＲ２には、両条溝ａ１，ａ２を連通させる横断溝（図示せず）を、セメント板Ｐａの上端及び下端から、二次ファスナー突出片１２ａ，１２ｂの突入長さ、プラス２０mm前後の位置に配置しておく。
中央に台形条溝ａ１を２個一対で配置したのは、セメント板Ｐａを中央のリブＲ上で幅方向２分割して１／２幅サイズでの使用を可能にするためである。
【００４１】
断熱層Ｐｂは、幅Ｗ１がセメント板幅Ｗ０（４９０mm）より１０mm大な５００mmの発泡成形断熱材であり、セメント板Ｐａと断熱材Ｐｂとの接着は、図３（Ｂ）の如く、断熱材Ｐｂをセメント板Ｐａの条溝配置面のリブＲ頂面上に、条溝ａをふさがないように、且つ、一方では段差ｄ１（１０mm）入り込み、他方では段差ｄ２（２０mm）突出した形態に接着剤で一体化する。
また、パネルＰの上端では、断熱層Ｐｂは、全幅に亘り一次ファスナー水平片６Ｆ載置用の切欠Ｃ１を付与し、両端のセメント板台形条溝ａ１対応位置では自在ナット金具８（図６）嵌入用の切欠Ｃ２を付与する。
尚、断熱複合パネルＰの長さＬ０は、各適用建物の階高に応じて設定する。
【００４２】
〔一次ファスナー（図４（Ａ））〕
図４（Ａ）に示す如く、一次ファスナー７は、長さＬ７が２１０mm、厚さが６mmで幅Ｗ７が６５mmの等辺山形鋼であり、水平片７Ｆには両端７Ｓから４０mmの位置に幅１２mm、長さ３０mmの前後方向長孔Ｈ７の一対を穿設し、垂直片７Ｗ中央部には、径１０mmのアンカーボルト７ａを位置調整可能に締着するための、径２０mmのボルト挿入用の孔Ｈ７０を穿設し、水平片７Ｆの各長孔Ｈ７の下面には自在ナット金具８を配置する。
【００４３】
自在ナット金具８は、図５に示す如く、１．６mm厚の鋼製であって、幅Ｌ８が３６mmの底板８Ｅと、高さｈ８が２０mmの両側板８Ｓから成り、側板８Ｓの上部には突起片８Ｍを５mm幅で側板全長に亘って突設し、一次ファスナー水平片７Ｆの下面と突起片８Ｍの間に幅４mmの係合溝８Ｇしたものである。
【００４４】
そして、係合溝８Ｇには、３mm厚で幅ＷＷが２０mmで長さＷＬが３０mmの短形の座金８Ｂを、両側の突起片８Ｍに載置形態で摺動自在に嵌合し、該座金８Ｂ下面には、径１０mmのボルト１３ａ締着用のナット８Ａ（外径１８mm、高さ８mm）を固着一体化し、水平片７Ｆの上方から長孔Ｈ７を介して挿通するボルト１３ａの、自在ナット金具８内で座金８Ｂによって共回りの抑制されたナット８Ａへのボルト締着を可能に構成する。
【００４５】
〔二次ファスナー（図４（Ｂ））〕
図４（Ｂ）に示す如く、二次ファスナー１０は、厚さが６mm、幅（Ｗ１０）が６５mm、長さＬ１０が８０mmの平鋼の水平片１０Ｆに、中央部で後端１０ｅより１７mmの位置に、幅が１２mm、長さが３０mmの左右方向長孔Ｈ１０を穿設し、水平片１０Ｆの前端下面中央部には、セメント板の台形条溝ａ１に嵌合させるための、鋼製の２．３mm厚で高さｈ１２が３０mm、長さＬ１２が３０mm、幅Ｗ１２が１２mmの下面視台形状で、前面を面板１２Ｐで閉塞した箱形状の下方突出片１２ｂを溶接一体化する。
この場合、下方突出片１２ｂ基端周囲に溶接による盛り上がり肉が発生しないように、下方突出片１２ｂの基板に溶接用孔を穿設して水平片１０Ｆ下面と溶接する。
【００４６】
〔笠木金具（図６）〕
笠木金具は、笠木３と、笠木取付用のブラケット１５とから成り、図６（Ａ）は笠木３の斜視図であり、図６（Ｂ）は図６（Ａ）のＢ−Ｂ断面図であり、図６（Ｃ）はブラケット１５の斜視図である。
笠木３は、複合パネルＰの上端辺Ｐｔの上部に配置して、屋上パラペットや屋上床のコンクリート躯体の防水層端部を処理すると共に、外壁と屋上との見切りの効用、及び外壁パネルＰの通気層ａからの空気流出を保証するものである。
【００４７】
笠木３は、一般厚が２mmのアルミ製で、標準４０００mm長の直線部材であり、總幅Ｌ３が１７０mmであって、前端の立下り板３Ｆの高さｈ３が４５mm、立下り板上端から後方に延びる天端水平板３Ｕの幅ｄ３０が１２０mm、天端水平板３Ｕの後端から１０mmの位置から高さｈ３０が１８mmの立上り片３Ｂと、立上り片３Ｂ下端から後方に幅ｄ３１が６０mmの底板３Ｄを備え、前端の立下り板３Ｆには、下端の７mm幅で斜角４５°の水切機能を備えたアンカー片３Ｆ´と、アンカー片基部から後方に５mm幅で水平突出し、上昇雨水の水切機能及び立下り板３Ｆ補強機能を備えた突起３Ｍ´と、天端水平板３Ｕの前端下面に３．５mm幅の係合溝３Ｇを形成した５mm幅の後方への突起３Ｍとを突設する。
【００４８】
また、ブラケット１５は、３mm厚のアルミ製の板金屈曲片であって、図６（Ｃ）の如く、上段水平片１５Ｕの長さＬｕが２３mm、垂直片１５Ｆの高さｈ１５が２５mm、底板１５Ｄの長さＬｄが５２mm、幅Ｗ１５が４０mmの直角屈曲形態物である。
【００４９】
〔外壁の上部構造の形成（図１、図８）〕
本発明を、既存コンクリート建築物の乾式被覆改修外断熱構工法に適用する。
まず、既存建築物のコンクリート躯体Ｃｗ上面の防水層９ａの前端部及びコンクリート躯体前面Ｓｃを改修施工可能に準備し、コンクリート躯体Ｃｗに基準墨によりマーク付けし、図１（Ａ）の如く、コンクリート躯体前面Ｓｃに径１０．５mmの孔を穿孔し、径１０mmのあと施工アンカーボルト７ａ（サンコーテクノ（株）商品名：オールアンカー、岡部建材（株）商品名：ネールアンカー等）を挿入し、あと施工アンカーボルト７ａの径中央の芯棒をハンマーで打込んで、あと施工アンカーボルト先端がコンクリート内で開いた状態とし、アンカーボルト７ａ１本当り８９０kgfの引張荷重強度を付与する。
【００５０】
次いで、図１（Ａ）の如く、一次ファスナー７の垂直片７Ｗのボルト挿入用孔Ｈ７０（孔径：２０mm）をアンカーボルト７ａの突出部に嵌合し、径１２mmのボルト用孔を有する座金７ｂを介してナット７ｃを強固に締着する。
この場合、一次ファスナーの孔Ｈ７０は径が２０mmであり、アンカーボルト径が１０mmであるので、アンカーボルト７ａと一次ファスナー７とを、上下左右の必要位置微調整の下に強固に締着する。
【００５１】
パネル１枚当りの負荷重量は４５kg前後であり、一次ファスナー７は、図８（Ａ）の如く、各パネルＰの接続目地ｄ３の位置に配置するので、各一次ファスナー７による各パネルＰの適正支持が可能となる。
次いで、固定された一次ファスナー７の水平片７Ｆの一方の長孔Ｈ７上に、パネルＰ一端の条溝ａ１に下方突出片１２ｂを係止した二次ファスナー１０の水平片１０Ｆを載置し、両ファスナー７，１０のボルト挿入用孔Ｈ７，Ｈ１０を重ねて径１０mmのボルト１３ａを座金１３ｂを介して一次ファスナー７下面の自在ナット金具８内のナット８Ａに挿通仮止めし、二次ファスナー１０を前後方向長孔Ｈ７、左右方向長孔Ｈ１０によって位置調整した後、ボルト１３ａを一体化座金８Ｂで回動の制限されたナット８Ａに強固に締着する。
【００５２】
同様に、他方のパネル他端の条溝ａ１に係止した二次ファスナー１０を一次ファスナー７の他方の長孔Ｈ７にボルト締着し、図８（Ａ）の如く、パネル接続部ｄ３上に配置した１個の一次ファスナー７上には、各パネルＰ端の上面を係止した二次ファスナー１０の２個を締着する。
【００５３】
そして、図１（Ｂ）の如く、一次ファスナー水平片７Ｆ間の断熱層切欠Ｃ１には、一次ファスナー水平片７Ｆと等厚の石綿セメント板１８（ＪＩＳＡ５４０３石綿スレート）を接着して断熱層Ｐｂ上面の切欠Ｃ１を補修する。
次いで、図７（Ａ），（Ｂ）に示す如く、一次ファスナー水平片７Ｆ上の両側の二次ファスナー１０間には、所定位置にブラケット１５の底板１５Ｄをドリルスクリュー（サンコーテクノ（株）商品名）等のねじ２６ａで一次ファスナー水平片７Ｆに締着し、ブラケット１５を各パネル間隔で配置する。
【００５４】
また、コンクリート躯体上端前面では、既存防水層９ａ前縁からパネルＰ上端後部に亘り、アスファルトのルーフコーティング９ｃを付与して、図１（Ｂ）、図２（Ｂ）の如く、コンクリート躯体前面Ｓｃとパネル断熱層Ｐｂ間の界面隙間ａｓを閉止する。
この場合、界面隙間ａｓの大な部所は、必要に応じてバックアップ材１９´を充填してルーフコーティング９ｃを施工する。
また、図８（Ｂ），（Ｃ）に示す如く、従来例１，２同様に、セメント板（外装材）表面からあと施工アンカー２４をコンクリート躯体Ｃｗに打込む。
また、必要に応じて、セメント板Ｐａを、図１（Ａ）の如く、ねじ２６によって二次ファスナー突出片１２ｂの面板１２Ｐに止着する。
【００５５】
次いで、笠木３は、図１（Ａ）の如く、一次ファスナー水平片７Ｆ上に固定したブラケット１５の水平片１５Ｕ先端に、天端水平板３Ｕ下面前端の係合溝３Ｇを嵌合係止し、後方に延出した底板３Ｄ後部を既存防水層９ａ上からコンクリート躯体（パラペット）Ｃｗ上端面Ｆｃにねじ２６ｂで固定する。
この場合、既存防水層９ａ上が不陸であれば、必要に応じて底板３Ｄと防水層９ａ間にパッキンを介在する。
【００５６】
また、笠木底板３Ｄ上には新規防水層９ｂを立上り片３Ｂと当接形態で張設し、防水層９ｂと天端水平板３Ｕの下面との間にはシーリング１９を施す。
また、各パネル左右接続部ｄ３では、図８（Ｃ）の如く、セメント板Ｐａと断熱層Ｐｂとの接着時に付与した段差ｄ１（１０mm）と段差ｄ２（２０mm）によって、断熱層Ｐｂの当接界面Ｂｂは、セメント板Ｐａ面上に位置するが、両セメント板Ｐａ端間は１０mm幅の断熱層Ｐｂむき出しの接続部ｄ３となるため、該接続部ｄ３には、バックアップ材１９´を介してシーリング１９を施す。
【００５７】
尚、外壁の中間部、即ちパネルの上下接続構造も、上部構造同様に、一次ファスナー７と、変形二次ファスナー２１で施工出来る。
図９は、各断熱複合パネルＰの上下接続部の説明図であって、上下接続部ｄ４にあっては、本発明のパネル上端取付けに採用したアングル鋼材の一次ファスナー７を、図９（Ａ）の如く、アンカーボルト７ａを採用してコンクリート躯体Ｃｗの前面に固着し、二次ファスナーは、図９（Ｂ）の如く、水平片２１Ｆの後端上下に、上方では、上下接続部ｄ４の目地高さを確保するための高さｈ２１を備えた台板２１ａ上に上方視断面台形の突出片１２ａの一対を、下方では、上方突出片１２ａの対応位置で上方突出片１２ａと同形状の下方突出片１２ｂの一対を備えたものである。
【００５８】
そして、二次ファスナ２１は、上下突出片１２ａ，１２ｂによって、上方パネル下端と下方パネル上端とを係止し、二次ファスナー長孔Ｈ２１を一次ファスナー長孔Ｈ７に合致させてボルト１３ａを挿通し、位置調整の下に一次ファスナー７にボルト締着する。
そして、接続部ｄ４の二次ファスナー２１の存在しない空間部から現場発泡断熱材９を上下断熱層Ｐｂ間に注入して条溝ａ群を閉止しないように充填し、接続部ｄ４全長に亘って、条溝ａ群を閉止しないようにバックアップ材１９´を介してシーリング１９を施す。
そして、現場発泡断熱材９の注入は、最奥部から断熱層Ｐｂの切欠Ｃ１を含む上下断熱層Ｐｂ間を充填埋設するため、パネルＰ間の上下接続部ｄ４での断熱損失は生じない。
【００５９】
以上の如く、断熱複合パネルＰ群をコンクリート躯体前面Ｓｃに取付けた外断熱外壁の上部構造にあっては、並列接続部ｄ３では、断熱層Ｐｂの当接界面Ｂｂがセメント板Ｐａ面で閉止されて当接界面Ｂｂへの空気侵入が完全阻止され、接続部ｄ３での断熱機能低下が阻止出来、またパネル断熱層Ｐｂとコンクリート躯体前面Ｓｃとの界面隙間ａｓも、上端がアスファルトのルーフコーティング９ｃで閉止されて界面隙間ａｓ内は密閉空気層として断熱機能を発揮するため、断熱複合パネルＰを備えた外壁は、設計値どおりの外断熱機能を発揮する。
そして、上下接続部ｄ４では、下方パネル条溝ａから上方パネル条溝ａへの空気流通が可能であるため、外壁パネルの下端から上端の笠木３を介した外方への空気流通Ａｆが保証される。
【００６０】
また、各一次ファスナー７は、全てコンクリート躯体Ｃｗの前面Ｓｃに当接固定するため、アンカーボルト７ａによって強固に固定出来、各パネルＰは、コンクリート躯体前面Ｓｃの不陸突出最大部位を基準とし、コンクリート躯体表面Ｓｃの不陸凹部では、パネルＰとコンクリート躯体表面Ｓｃ間に界面隙間ａｓを形成しながら面一に張設するため、建築後１５〜２０年経過したコンクリート躯体表面に１ｍにつき１０mm以上の不陸の存在するコンクリート建物であっても、外壁面、即ちパネルセメント板Ｐａ表面がきれいに面一化された高性能外断熱建築物に改修出来る。
【産業上の利用可能性】
【００６１】
本発明は、コンクリート建築物の新築時には、アンカーボルト７ａをコンクリート躯体Ｃｗ前面に、コンクリート打設時に埋設すれば、打設コンクリート躯体Ｃｗの前面Ｓｃに不陸が生じても、簡単、且つ合理的に断熱複合パネルＰの面一張着が出来るが、建築後１５年以上経過した、既存コンクリート建築物にあっては、コンクリート躯体外面の不陸が普通であるため、既存コンクリート建築物を乾式被覆改修で外断熱建築物に更生するために適用すれば特に有効である。
従って、本発明は、特に、コンクリート建築物の改修に極めて有利な、実用性の高い発明である。
【図面の簡単な説明】
【００６２】
【図１】本発明のパネルＰとコンクリート躯体Ｃｗとの間に界面隙間ａｓを生じた場合の説明図であって、（Ａ）はパネル係止部を、（Ｂ）はパネル非係止部を示す図である。
【図２】本発明のパネルＰとコンクリート躯体Ｃｗとの間に界面隙間ａｓを生じない場合の説明図であって、（Ａ）はパネル係止部を、（Ｂ）はパネル非係止部を示す図である。
【図３】本発明の断熱複合パネル説明図であって、（Ａ）は斜視図、（Ｂ）は（Ａ）のＢ−Ｂ線断面図、（Ｃ）は（Ｂ）の部分拡大図である。
【００６３】
【図４】本発明の一次、二次各ファスナー説明図であって、（Ａ）は一次ファスナーの斜視図、（Ｂ）は二次ファスナーの斜視図である。
【図５】本発明の一次ファスナー説明図であって、（Ａ）は上面図、（Ｂ）は側面図、（Ｃ）は背面図である。
【図６】本発明の笠木金具説明図であって、（Ａ）は笠木の斜視図、（Ｂ）は（Ａ）のＢ−Ｂ線断面図、（Ｃ）はブラケットの斜視図である。
【図７】本発明のブラケット取付状態説明図であって、（Ａ）は斜視図、（Ｂ）は平面図である。
【００６４】
【図８】本発明パネルの左右接続部の横断面図であって、（Ａ）は一次ファスナー７と二次ファスナー１０との配置関係を、（Ｂ）はあと施工アンカーを示す図であり、（Ｃ）は（Ｂ）のＣ部拡大図である。
【図９】本発明パネルＰの上下接続部の説明図であって、（Ａ）は横断面図、（Ｂ）は二次ファスナー斜視図である。
【図１０】従来例１の説明図であって、（Ａ）は外壁横断面図、（Ｂ）は（Ａ）のＢ部拡大図、（Ｃ）は外壁上部縦断面図、（Ｄ）は外壁下部断面図である。
【図１１】従来例２の説明図であって、（Ａ）は外壁横断面図、（Ｂ）は（Ａ）のＢ部拡大図、（Ｃ）は外壁上部縦断面図、（Ｄ）は外壁下部縦断面図である。
【符号の説明】
【００６５】
３      笠木
３Ｂ    立上り片
３Ｄ，１５Ｄ    底板（下段水平板）
３Ｆ    立下り板
３Ｆ´  アンカー片
３Ｇ，８Ｇ    係合溝
３Ｍ，３Ｍ´  突起
３Ｕ    天端水平板
７      一次ファスナー
７ａ    アンカーボルト
７ｂ，８Ｂ，１３ｂ    座金
７ｃ，８Ａ    ナット
７Ｆ，１０Ｆ，２１Ｆ    水平片
【００６６】
７Ｓ，１０Ｓ，２１Ｓ    側端
７Ｗ，１５Ｗ    垂直片
８      自在ナット金具
８Ｅ    底板
８Ｍ    突起片
８Ｓ    側板
９      現場発泡断熱材
９ａ    既存防水層
９ｂ    防水層（新規防水層）
９ｃ    ルーフコーティング
１０，２１    二次ファスナー
１２ａ  上方突出片（突出片）
１２ｂ  下方突出片（突出片）
【００６７】
１２Ｐ  面板
１３ａ  ボルト
１５    ブラケット
１５Ｕ  上段水平片（水平片）
１８    石綿セメント板（板材）
１９    シーリング
１９´  バックアップ材
２１ａ  台板
２４    あと施工アンカー
２６，２６ａ，２６ｂ    ねじ
【００６８】
ａ，ａ１，ａ２    条溝（通気層）
ａｓ    界面隙間（密閉空気層）
Ｂｂ    当接界面（断熱層界面）
Ｃ１，Ｃ２    切欠
Ｃｗ    コンクリート躯体
ｄ１，ｄ２    段差
ｄ３，ｄ４    接続部（接続目地、目地）
Ｆｃ    コンクリート躯体上端面（上端面）
Ｈ７，Ｈ１０，Ｈ７０    ボルト挿入用孔（ボルト孔）
Ｐ      断熱複合パネル（パネル）
Ｐａ    セメント板
Ｐｂ    断熱層（断熱板）
Ｒ（Ｒ１，Ｒ２）    リブ
Ｓｃ    前面（コンクリート躯体前面）
【図１】
2005061092.tif 000003
【図２】
2005061092.tif 000004
【図３】
2005061092.tif 000005
【図４】
2005061092.tif 000006
【図５】
2005061092.tif 000007
【図６】
2005061092.tif 000008
【図７】
2005061092.tif 000009
【図８】
2005061092.tif 000010
【図９】
2005061092.tif 000011
【図１０】
2005061092.tif 000012
【図１１】
2005061092.tif 000013